(57)【要約】【課題】Ｑ値の低下を抑制しつつ、コイルのインダクタンス値を大きくすることができるローパスフィルタを提供することである。【解決手段】積層体１２は、複数の絶縁体層１６が積層されて構成され、かつ、ｚ軸方向の負方向側において実装面を有している。外部電極は、積層体１２の下面に設けられており、接地される。コイルＬ１０は、積層体１２に内蔵され、かつ、ｚ軸方向に延在する中心軸を有する螺旋状のコイルである。ビアホール導体ｖ１５〜ｖ２１は、コイルＬ１０のｚ軸方向の正方向側の端部からｚ軸方向の負方向側に向かって延在している。外部電極とコイルＬ１０のｚ軸方向の正方向側の端部とは、ビアホール導体ｖ１５〜ｖ２１を介して電気的に接続されている。【選択図】図３
2013021449.tif 000002
【特許請求の範囲】
【請求項１】
複数の絶縁体層が積層されて構成され、かつ、積層方向の一方側において実装面を有している積層体と、
前記積層体の表面に設けられている第１の外部電極と、
前記積層体に内蔵され、かつ、積層方向に延在する中心軸を有する第１のコイルであって、積層方向の一方側に一方端、積層方向の他方側に他方端を有する螺旋状の第１のコイルと、
前記第１のコイルの他方端から積層方向の一方側に向かって延在している第１のビアホール導体と、
を備えており、
前記第１の外部電極と前記第１のコイルの他方端とは、前記第１のビアホール導体を介して電気的に接続されていること、
を特徴とするローパスフィルタ。
【請求項２】
前記第１のコイルの一方端から積層方向の一方側に向かって延在している第２のビアホール導体を、
更に備えており、
前記第１のビアホール導体、前記第２のビアホール導体及び前記第１のコイルは、第１のコイル部を構成していること、
を特徴とする請求項１に記載のローパスフィルタ。
【請求項３】
前記積層体に内蔵され、かつ、積層方向に延在する中心軸を有する第２のコイルであって、積層方向の一方側に一方端、積層方向の他方側に他方端を有する螺旋状の第２のコイルと、
前記第２のコイルの他方端から積層方向の一方側に向かって延在している第３のビアホール導体と、
を更に備えており、
前記第１の外部電極と前記第２のコイルの他方端とは、前記第３のビアホール導体を介して電気的に接続されていること、
を特徴とする請求項１又は請求項２のいずれかに記載のローパスフィルタ。
【請求項４】
前記積層体に内蔵され、かつ、積層方向に延在する中心軸を有する螺旋状の第２のコイルを、
更に備えており、
前記第１の外部電極と前記第２のコイルの他方端とは、前記第１のビアホール導体を介して電気的に接続されていること、
を特徴とする請求項１又は請求項２のいずれかに記載のローパスフィルタ。
【請求項５】
前記積層体に内蔵され、かつ、前記第１のビアホール導体及び前記第１の外部電極との間に接続されているコンデンサを、
更に備えており、
前記第１の外部電極は接地されること、
を特徴とする請求項１ないし請求項４のいずれかに記載のローパスフィルタ。
【発明の詳細な説明】
【技術分野】
【０００１】
本発明は、ローパスフィルタに関し、より特定的には、コイルを内蔵しているローパスフィルタに関する。
【背景技術】
【０００２】
従来のローパスフィルタとしては、例えば、特許文献１に記載の積層型ローパスフィルタが知られている。特許文献１に記載の積層型ローパスフィルタでは、積層基板、第１のコイル、第２のコイル及びキャパシタにより構成されている。積層基板は、複数の誘電体層が積層されて構成されている。第１のコイル及び第２のコイルは、誘電体層上に形成された複数の導体層が誘電体層を貫通するビアホール導体により接続されることによって螺旋状をなしている。第１のコイル、第２のコイル及びキャパシタは、積層基板に内蔵され、Ｔ型ローパスフィルタを構成している。
【０００３】
ところで、特許文献１に記載の積層型ローパスフィルタにおいて、通過帯域の低周波化の要望がある。通過帯域を低周波化させるためには、第１のコイル及び第２のコイルのインダクタンスを大きくすることが挙げられる。そこで、第１のコイル及び第２のコイルの導体層の数を多くすればよい。
【０００４】
しかしながら、特許文献１に記載の積層型ローパスフィルタは、第１のコイル及び第２のコイルのインダクタンスを大きくすると、Ｑ値が低下するという問題を有する。より詳細には、第１のコイル及び第２のコイルは、導体層が積層基板の側面に引き出されることによって、積層基板の側面に設けられている外部電極に接続されている。そして、外部電極は、積層型ローパスフィルタの回路基板への実装時に、その底面において回路基板のランドと接触する。そのため、回路基板から積層型ローパスフィルタに入力される高周波信号は、外部電極の底面から積層方向の上方向に向かって進行し、導体層と外部電極とが接続されている部分から第１のコイルに入力される。また、第１のコイル及び第２のコイルを通過した高周波信号は、導体層と外部電極とが接続されている部分から外部電極を積層方向の下方向に向かって進行し、外部電極の底面から回路基板へと入力される。
【０００５】
以上のような積層型ローパスフィルタでは、第１のコイル及び第２のコイルの導体層の数が多くなって、外部電極の底面から導体層と外部電極との接続部分までの距離が長くなると、積層型ローパスフィルタの抵抗値が大きくなってしまう。その結果、積層型ローパスフィルタのＱ値が低下してしまう。
【先行技術文献】
【特許文献】
【０００６】
【特許文献１】特開２００８−１８７４１８号公報
【発明の概要】
【発明が解決しようとする課題】
【０００７】
そこで、本発明の目的は、Ｑ値の低下を抑制しつつ、コイルのインダクタンス値を大きくすることができるローパスフィルタを提供することである。
【課題を解決するための手段】
【０００８】
本発明の一形態に係るローパスフィルタは、複数の絶縁体層が積層されて構成され、かつ、積層方向の一方側において実装面を有している積層体と、前記積層体の表面に設けられている第１の外部電極と、前記積層体に内蔵され、かつ、積層方向に延在する中心軸を有する第１のコイルであって、積層方向の一方側に一方端、積層方向の他方側に他方端を有する螺旋状の第１のコイルと、前記第１のコイルの他方端から積層方向の一方側に向かって延在している第１のビアホール導体と、を備えており、前記第１の外部電極と前記第１のコイルの他方端とは、前記第１のビアホール導体を介して電気的に接続されていること、を特徴とする。
【発明の効果】
【０００９】
本発明によれば、Ｑ値の低下を抑制しつつ、コイルのインダクタンス値を大きくすることができる。
【図面の簡単な説明】
【００１０】
【図１】第１の実施形態に係るローパスフィルタの等価回路図である。
【図２】図１のローパスフィルタの外観斜視図である。
【図３】図２のローパスフィルタの積層体の分解斜視図である。
【図４】第２の実施形態に係るローパスフィルタの等価回路図である。
【図５】第２の実施形態に係るローパスフィルタの分解斜視図である。
【図６】変形例に係るローパスフィルタの分解斜視図である。
【発明を実施するための形態】
【００１１】
以下に、本発明の実施形態に係るローパスフィルタについて図面を参照しながら説明する。
【００１２】
（第１の実施形態）
（ローパスフィルタの構成）
以下、本発明の第１の実施形態に係るローパスフィルタの構成について図面を参照しながら説明する。図１は、第１の実施形態に係るローパスフィルタ１０ａの等価回路図である。
【００１３】
ローパスフィルタ１０ａは、図１に示すように、コイル部Ｌ１，Ｌ２、コンデンサＣ１〜Ｃ３及び外部電極１４（１４ａ〜１４ｄ）を備えている。外部電極１４ａは、入力端子であり、外部電極１４ｂは、出力端子であり、外部電極１４ｃ，１４ｄは、接地端子である。
【００１４】
コイル部Ｌ１，Ｌ２は、外部電極１４ａ，１４ｂ間に直列接続されている。コンデンサＣ１は、外部電極１４ａと外部電極１４ｃ，１４ｄとの間に接続されている。コンデンサＣ２は、コイル部Ｌ１，Ｌ２間と、外部電極１４ｃ，１４ｄとの間に接続されている。コンデンサＣ３は、外部電極１４ｂと外部電極１４ｃ，１４ｄとの間に接続されている。
【００１５】
以上のように構成されたローパスフィルタ１０ａは、外部電極１４ａから入力してくる高周波信号の内、所定周波数よりも低い周波数を有する高周波信号を出力する。
【００１６】
次に、ローパスフィルタ１０ａの具体的な構成について図面を参照しながら説明する。図２は、図１のローパスフィルタ１０ａの外観斜視図である。図３は、図２のローパスフィルタ１０ａの積層体１２の分解斜視図である。以下では、ローパスフィルタ１０ａの積層方向をｚ軸方向と定義し、ｚ軸方向から平面視したときのローパスフィルタ１０ａの長辺が延在している方向をｘ軸方向と定義し、ｚ軸方向から平面視したときのローパスフィルタ１０ａの短辺が延在している方向をｙ軸方向と定義する。
【００１７】
ローパスフィルタ１０ａは、図２及び図３に示すように、積層体１２、外部電極１４（１４ａ〜１４ｄ）、コイルＬ１０，Ｌ２０、コンデンサＣ１〜Ｃ３及びビアホール導体ｖ７，ｖ１４，ｖ１６〜ｖ２１を備えている。
【００１８】
積層体１２は、図３に示すように、絶縁体層１６ａ〜１６ｊがｚ軸方向の正方向側から負方向側に向かってこの順に並ぶように積層されて構成され、図２に示すような直方体状をなしている。積層体１２は、ｚ軸方向の負方向側において実装面（下面）を有している。絶縁体層１６は、長方形状の誘電体層である。以下では、絶縁体層１６のｚ軸方向の正方向側の主面を表面と呼び、絶縁体層１６のｚ軸方向の負方向側の主面を裏面と呼ぶ。
【００１９】
外部電極１４（１４ａ〜１４ｄ）は、積層体１２の表面に設けられている。具体的には、外部電極１４ａは、図２に示すように、ｘ軸方向の負方向側の端面を覆っていると共に、ｚ軸方向の上側の上面及びｚ軸方向の負方向側の下面にも折り返されている。外部電極１４ｂは、図２に示すように、ｘ軸方向の正方向側の端面を覆っていると共に、ｚ軸方向の上側の上面及びｚ軸方向の負方向側の下面にも折り返されている。外部電極１４ｃは、図２に示すように、ｙ軸方向の負方向側の側面に設けられていると共に、ｚ軸方向の上側の上面及びｚ軸方向の負方向側の下面にも折り返されている。外部電極１４ｄは、図２に示すように、ｙ軸方向の正方向側の側面に設けられていると共に、ｚ軸方向の上側の上面及びｚ軸方向の負方向側の下面にも折り返されている。
【００２０】
コイルＬ１０は、積層体１２に内蔵され、かつ、ｚ軸方向に延在する中心軸を有する螺旋状をなしている。より詳細には、コイルＬ１０は、コイル導体１８（１８ａ〜１８ｆ）及びビアホール導体ｖ１〜ｖ６，ｖ１５により構成されており、反時計回りに旋回しながらｚ軸方向の正方向側から負方向側に進行する螺旋状をなしている。したがって、コイルＬ１０は、ｚ軸方向の正方向側の端部及びｚ軸方向の負方向側の端部を有している。
【００２１】
コイル導体１８ａ〜１８ｆはそれぞれ、絶縁体層１６ｂ〜１６ｇの表面上に設けられており、四角形状の環状の一部が切り欠かれた線状の導体である。コイル導体１８は、例えば、Ｃｕ等の導電性材料からなる導体である。コイル導体１８ａ，１８ｂは同じ形状を有しており、コイル導体１８ｄ，１８ｅは同じ形状を有している。以下では、コイル導体１８において、反時計回り方向の上流側の端部を上流端と呼び、反時計回り方向の下流側の端部を下流端と呼ぶ。
【００２２】
ビアホール導体ｖ１は、絶縁体層１６ｂをｚ軸方向に貫通しており、コイル導体１８ａの下流端とコイル導体１８ｂの下流端を接続している。ビアホール導体ｖ２は、絶縁体層１６ｃをｚ軸方向に貫通しており、コイル導体１８ｂの下流端とコイル導体１８ｃの上流端を接続している。ビアホール導体ｖ３は、絶縁体層１６ｄをｚ軸方向に貫通しており、コイル導体１８ｃの下流端とコイル導体１８ｄの上流端を接続している。ビアホール導体ｖ４は、絶縁体層１６ｅをｚ軸方向に貫通しており、コイル導体１８ｄの上流端とコイル導体１８ｅの上流端を接続している。ビアホール導体ｖ５は、絶縁体層１６ｅをｚ軸方向に貫通しており、コイル導体１８ｄの下流端とコイル導体１８ｅの下流端を接続している。ビアホール導体ｖ６は、絶縁体層１６ｆをｚ軸方向に貫通しており、コイル導体１８ｅの下流端とコイル導体１８ｆの上流端を接続している。ビアホール導体は、例えば、Ｃｕ等の導電性材料からなる導体である。
【００２３】
ビアホール導体ｖ７は、コイルＬ１０のｚ軸方向の負方向側の端部からｚ軸方向の負方向側に向かって延在している。すなわち、ビアホール導体ｖ７は、絶縁体層１６ｇをｚ軸方向に貫通しており、コイル導体１８ｆの下流端に接続されている。
【００２４】
ビアホール導体ｖ１５〜ｖ２１はそれぞれ、絶縁体層１６ｂ〜１６ｈをｚ軸方向に貫通しており、互いに接続されることにより１本のビアホール導体を構成している。ビアホール導体ｖ１５は、コイル導体１８ａの上流端とコイル導体１８ｂの上流端とを接続している。ビアホール導体ｖ１６のｚ軸方向の正方向側の端部は、コイル導体１８ｂの上流端に接続されている。これにより、ビアホール導体ｖ１５〜ｖ２１は、コイルＬ１０のｚ軸方向の正方向側の端部からｚ軸方向の負方向側に向かって延在している。
【００２５】
以上のように構成されたコイルＬ１０、ビアホール導体ｖ７，ｖ１６〜ｖ２１は、コイル部Ｌ１を構成している。すなわち、コイル部Ｌ１は、コイルＬ１０からなる螺旋状コイルと、ｙｚ平面に略平行なループ面を有するループコイルとが組み合わされた構造を有している。
【００２６】
コイルＬ２０は、積層体１２に内蔵され、かつ、ｚ軸方向に延在する中心軸を有する螺旋状をなしている。より詳細には、コイルＬ２０は、コイル導体２０（２０ａ〜２０ｆ）及びビアホール導体ｖ８〜ｖ１３により構成されており、時計回りに旋回しながらｚ軸方向の正方向側から負方向側に進行する螺旋状をなしている。したがって、コイルＬ２０は、ｚ軸方向の正方向側の端部及びｚ軸方向の負方向側の端部を有している。
【００２７】
コイル導体２０ａ〜２０ｆはそれぞれ、絶縁体層１６ｂ〜１６ｇの表面上に設けられており、四角形状の環状の一部が切り欠かれた線状の導体である。コイル導体２０は、例えば、Ｃｕ等の導電性材料からなる導体層である。コイル導体２０ａ，２０ｂは同じ形状を有しており、コイル導体２０ｄ，２０ｅは同じ形状を有している。以下では、コイル導体２０において、時計回り方向の上流側の端部を上流端と呼び、時計回り方向の下流側の端部を下流端と呼ぶ。コイル導体２０ａの上流端は、コイル導体１８ａの上流端に接続されている。
【００２８】
ビアホール導体ｖ８は、絶縁体層１６ｂをｚ軸方向に貫通しており、コイル導体２０ａの下流端とコイル導体２０ｂの下流端を接続している。ビアホール導体ｖ９は、絶縁体層１６ｃをｚ軸方向に貫通しており、コイル導体２０ｂの下流端とコイル導体２０ｃの上流端を接続している。ビアホール導体ｖ１０は、絶縁体層１６ｄをｚ軸方向に貫通しており、コイル導体２０ｃの下流端とコイル導体２０ｄの上流端を接続している。ビアホール導体ｖ１１は、絶縁体層１６ｅをｚ軸方向に貫通しており、コイル導体２０ｄの上流端とコイル導体２０ｅの上流端を接続している。ビアホール導体ｖ１２は、絶縁体層１６ｅをｚ軸方向に貫通しており、コイル導体２０ｄの下流端とコイル導体２０ｅの下流端を接続している。ビアホール導体ｖ１３は、絶縁体層１６ｆをｚ軸方向に貫通しており、コイル導体２０ｅの下流端とコイル導体２０ｆの上流端を接続している。
【００２９】
ビアホール導体ｖ１４は、コイルＬ２０のｚ軸方向の負方向側の端部からｚ軸方向の負方向側に向かって延在している。すなわち、ビアホール導体ｖ１４は、絶縁体層１６ｇをｚ軸方向に貫通しており、コイル導体２０ｆの下流端に接続されている。
【００３０】
ビアホール導体ｖ１５は、コイル導体２０ａの上流端とコイル導体２０ｂの上流端とを接続している。ビアホール導体ｖ１６のｚ軸方向の正方向側の端部は、コイル導体２０ｂの上流端に接続されている。これにより、ビアホール導体ｖ１５〜ｖ２１は、コイルＬ２０のｚ軸方向の正方向側の端部からｚ軸方向の負方向側に向かって延在している。
【００３１】
以上のように構成されたコイルＬ２０、ビアホール導体ｖ１６〜ｖ２１は、コイル部Ｌ２を構成している。すなわち、コイル部Ｌ２は、コイルＬ２０からなる螺旋状コイルと、ｙｚ平面に略平行なループ面を有するループコイルとが組み合わされた構造を有している。
【００３２】
コンデンサＣ１は、コンデンサ導体２２及びグランド導体２８により構成されている。コンデンサ導体２２は、絶縁体層１６ｈの表面上に設けられており、長方形状の導体である。コンデンサ導体２２は、例えば、Ｃｕ等の導電性材料からなる導体である。ビアホール導体ｖ７のｚ軸方向の負方向側の端部は、コンデンサ導体２２に接続されている。また、コンデンサ導体２２は、絶縁体層１６ｈのｘ軸方向の負方向側の短辺に引き出されることにより、外部電極１４ａと接続されている。これにより、コイル部Ｌ１の一端は、外部電極１４ａに接続されている。
【００３３】
グランド導体２８は、絶縁体層１６ｊの表面上に設けられており、長方形状の導体である。グランド導体２８は、例えば、Ｃｕ等の導電性材料からなる導体である。グランド導体２８は絶縁体層１６ｈ，１６ｉを介してコンデンサ導体２２と対向している。これにより、コンデンサ導体２２とグランド導体２８との間には容量が形成されている。更に、グランド導体２８は、絶縁体層１６ｊのｙ軸方向の両側の長辺に引き出されることにより、外部電極１４ｃ，１４ｄと接続されている。これにより、コンデンサＣ１は、外部電極１４ａと外部電極１４ｃ，１４ｄとの間に接続されている。
【００３４】
コンデンサＣ３は、コンデンサ導体２４及びグランド導体２８により構成されている。コンデンサ導体２４は、絶縁体層１６ｈの表面上に設けられており、長方形状の導体である。コンデンサ導体２４は、例えば、Ｃｕ等の導電性材料からなる導体である。ビアホール導体ｖ１４のｚ軸方向の負方向側の端部は、コンデンサ導体２４に接続されている。また、コンデンサ導体２４は、絶縁体層１６ｈのｘ軸方向の正方向側の短辺に引き出されることにより、外部電極１４ｂと接続されている。これにより、コイル部Ｌ２の一端は、外部電極１４ｂに接続されている。
【００３５】
また、グランド導体２８は絶縁体層１６ｈ，１６ｉを介してコンデンサ導体２４と対向している。これにより、コンデンサ導体２４とグランド導体２８との間には容量が形成されている。更に、グランド導体２８は、絶縁体層１６ｊのｙ軸方向の両側の長辺に引き出されることにより、外部電極１４ｃ，１４ｄと接続されている。これにより、コンデンサＣ３は、外部電極１４ｂと外部電極１４ｃ，１４ｄとの間に接続されている。
【００３６】
コンデンサＣ２は、コンデンサ導体２６及びグランド導体２８により構成されている。コンデンサ導体２６は、絶縁体層１６ｉの表面上に設けられており、長方形状の導体である。コンデンサ導体２６は、例えば、Ｃｕ等の導電性材料からなる導体である。ビアホール導体ｖ２１のｚ軸方向の負方向側の端部は、コンデンサ導体２６に接続されている。
【００３７】
また、グランド導体２８は絶縁体層１６ｉを介してコンデンサ導体２６と対向している。これにより、コンデンサ導体２６とグランド導体２８との間には容量が形成されている。更に、グランド導体２８は、絶縁体層１６ｊのｙ軸方向の両側の長辺に引き出されることにより、外部電極１４ｃ，１４ｄと接続されている。これにより、コンデンサＣ２は、コイルＬ１０，Ｌ２０間と、外部電極１４ｃ，１４ｄとの間に接続されている。すなわち、コイルＬ１０，Ｌ２０のｚ軸方向の正方向側の端部は、ビアホール導体ｖ１５〜ｖ２１及びコンデンサＣ２を介して外部電極１４ｃ，１４ｄと電気的に接続されている。
【００３８】
以上のように構成されたローパスフィルタ１０ａでは、外部電極１４ａが入力端子として用いられ、外部電極１４ｂが出力端子として用いられ、外部電極１４ｃ，１４ｄが接地端子として用いられる。これにより、外部電極１４ａから高周波信号が入力されると、所定周波数よりも低い周波数を有する高周波信号が外部電極１４ｂから出力される。
【００３９】
（ローパスフィルタの製造方法）
次に、ローパスフィルタ１０ａの製造方法について図２及び図３を参照しながら説明する。
【００４０】
まず、絶縁体層１６ａ〜１６ｊとなるべきセラミックグリーンシートを準備する。次に、絶縁体層１６ｂ〜１６ｈとなるべきセラミックグリーンシートのそれぞれに、ビアホール導体ｖ１〜ｖ２１を形成する。ビアホール導体ｖ１〜ｖ２１の形成時には、絶縁体層１６ｂ〜１６ｈとなるべきセラミックグリーンシートにレーザビームを照射してビアホールを形成する。次に、このビアホールに対して、Ｃｕ等の導電性ペーストを印刷塗布などの方法により充填する。
【００４１】
次に、絶縁体層１６ｂ〜１６ｊとなるべきセラミックグリーンシートの表面上に、Ｃｕ等を主成分とする導電性ペーストをスクリーン印刷法やフォトリソグラフィ法などの方法で塗布することにより、コイル導体１８，２０、コンデンサ導体２２，２４，２６及びグランド導体２８を形成する。なお、コイル導体１８，２０、コンデンサ導体２２，２４，２６及びグランド導体２８の形成の際に、ビアホールに対する導電性ペーストの充填を行ってもよい。
【００４２】
次に、各セラミックグリーンシートを積層する。具体的には、絶縁体層１６ａ〜１６ｊとなるべきセラミックグリーンシートをｚ軸方向の正方向側から負方向側へとこの順に並ぶように１枚ずつ積層及び圧着する。以上の工程により、マザー積層体が形成される。このマザー積層体に静水圧プレスなどにより本圧着を施す。
【００４３】
次に、マザー積層体をカット刃によりカットして所定寸法の積層体１２を得る。この後、未焼成の積層体１２に脱バインダー処理及び焼成を施す。
【００４４】
以上の工程により、焼成された積層体１２を得る。積層体１２には、バレル加工を施して、面取りを行う。
【００４５】
最後に、Ａｇからなる導電性ペーストを積層体１２の表面に塗布することにより、下地電極を形成する。更に、下地電極の表面に、Ｎｉめっき／Ｓｎめっきを施して外部電極１４を形成する。以上の工程を経て、図１及び図２に示すローパスフィルタ１０ａが完成する。
【００４６】
（効果）
以上のように構成されたローパスフィルタ１０ａでは、Ｑ値の低下を抑制しつつ、コイル部Ｌ１，Ｌ２のインダクタンス値を大きくすることができる。より詳細には、ローパスフィルタ１０ａでは、ビアホール導体ｖ１５〜ｖ２１は、コイルＬ１０，Ｌ２０のｚ軸方向の正方向側の端部からｚ軸方向の負方向側に向かって延在している。そして、外部電極１４ｃ，１４ｄとコイルＬ１０，Ｌ２０のｚ軸方向の正方向側の端部とは、ビアホール導体ｖ１５〜ｖ２１を介して電気的に接続されている。ここで、ビアホール導体ｖ１５〜ｖ２１の断面積は、外部電極１４ｃ，１４ｄの断面積に比べて容易に大きくすることができる。そのため、ビアホール導体ｖ１５〜ｖ２１の抵抗値は、外部電極１４ｃ，１４ｄの抵抗値よりも低くすることが容易である。よって、ローパスフィルタ１０ａでは、コイルＬ１０，Ｌ２０と外部電極１４ｃ，１４ｄ間の抵抗値を低くしやすい。したがって、コイル部Ｌ１，Ｌ２のインダクタンス値を大きくするために、コイル導体１８，２０の数を増加させて、コイルＬ１０，Ｌ２０と外部電極１４ｃ，１４ｄ間の距離が大きくなったとしても、コイルＬ１０，Ｌ２０と外部電極１４ｃ，１４ｄとの間の抵抗値の増加を低く抑えることができる。その結果、ローパスフィルタ１０ａでは、Ｑ値の低下を抑制しつつ、コイル部Ｌ１，Ｌ２のインダクタンス値を大きくすることができる。
【００４７】
また、コイルＬ１０及びコイルＬ２０において、磁界はｚ軸方向に発生する。一方で、コイル部Ｌ１およびコイル部Ｌ２は、ｙｚ平面に平行なループ面を有しているため、コイル部Ｌ１及びコイル部Ｌ２においては、磁界はｘ軸方向に発生する。このように、コイルＬ１０、Ｌ２０とコイル部Ｌ１、Ｌ２とで、発生する磁界の方向が直交するので、互いに干渉することはない。
【００４８】
また、ローパスフィルタ１０ａでは、コイルＬ１０，Ｌ２０のｚ軸方向の負方向の端部は、ビアホール導体ｖ７，ｖ１４及びコンデンサ導体２２,２４を介して外部電極１４ａ，１４ｂに接続されている。そのため、コイルＬ１０，Ｌ２０のｚ軸方向の負方向の端部が外部電極１４ａ，１４ｂに接続されている場合の方が、コイルＬ１０，Ｌ２０のｚ軸方向の正方向側の端部が外部電極１４ａ，１４ｂに接続されている場合に比べて、コイルＬ１０，Ｌ２０と外部電極１４ａ，１４ｂとの接続部分から外部電極１４ａ，１４ｂの底面までの距離が短くなる。よって、ローパスフィルタ１０ａの抵抗値が低くなる。更に、コイル導体１８，２０の数が増加しても、コイルＬ１０，Ｌ２０と外部電極１４ａ，１４ｂとの接続部分から外部電極１４ａ，１４ｂの底面までの距離が変化しない。その結果、ローパスフィルタ１０ａでは、Ｑ値の低下を抑制しつつ、コイル部Ｌ１，Ｌ２のインダクタンス値を大きくすることができる。
【００４９】
また、ローパスフィルタ１０ａでは、ビアホール導体ｖ７，ｖ１４は、コイルＬ１０、Ｌ２０のｚ軸方向の負方向側の端部からｚ軸方向の負方向側に向かって延在している。そして、外部電極１４ａ，１４ｂとコイルＬ１０，Ｌ２０のｚ軸方向の負方向側の端部とは、ビアホール導体ｖ７，ｖ１４を介して電気的に接続されている。よって、ローパスフィルタ１０ａでは、コイルＬ１０，Ｌ２０のｚ軸方向の負方向側の端部と外部電極１４ａ，１４ｂとの間の抵抗値を低減できる。
【００５０】
（第２の実施形態）
次に、第２の実施形態に係るローパスフィルタ１０ｂについて図面を参照しながら説明する。図４は、第２の実施形態に係るローパスフィルタ１０ｂの等価回路図である。
【００５１】
ローパスフィルタ１０ｂは、ローパスフィルタ１０ａに対してコンデンサＣ４，Ｃ５が追加された構造を有している。コンデンサＣ４は、コイル部Ｌ１に対して並列接続されている。コンデンサＣ５は、コイルＬ２に対して並列接続されている。
【００５２】
次に、ローパスフィルタ１０ｂの具体的な構成について図面を参照しながら説明する。図５は、第２の実施形態に係るローパスフィルタ１０ｂの分解斜視図である。以下では、ローパスフィルタ１０ｂの積層方向をｚ軸方向と定義し、ｚ軸方向から平面視したときのローパスフィルタ１０ｂの長辺が延在している方向をｘ軸方向と定義し、ｚ軸方向から平面視したときのローパスフィルタ１０ｂの短辺が延在している方向をｙ軸方向と定義する。なお、図５において、図３と同じ構成については、同じ参照符号を付した。
【００５３】
ローパスフィルタ１０ｂは、図５に示すように、積層体１２、外部電極４４（４４ａ〜４４ｃ）、コイルＬ１０，Ｌ２０、コンデンサＣ１〜Ｃ５及びビアホール導体ｖ７，ｖ１４，ｖ１６〜ｖ４３を備えている。ローパスフィルタ１０ｂの絶縁体層１６ｇよりもｚ軸方向の正方向側の構造は、ローパスフィルタ１０ａの絶縁体層１６ｇよりもｚ軸方向の正方向側の構造と同じであるので説明を省略する。
【００５４】
外部電極４４（４４ａ〜４４ｃ）は、積層体１２の表面に設けられている。具体的には、外部電極４４ａ，４４ｃ，４４ｂは、図５に示すように、ｚ軸方向の負方向側の下面において、ｘ軸方向の負方向側から正方向側へとこの順に並ぶように設けられている。
【００５５】
コンデンサＣ１は、コンデンサ導体５２，６０及びグランド導体５８により構成されている。コンデンサ導体５２，６０はそれぞれ、絶縁体層１６ｉ，１６ｌの表面上に設けられており、長方形状の導体である。コンデンサ導体５２,６０は、例えば、Ｃｕ等の導電性材料からなる導体である。ビアホール導体ｖ２２〜ｖ２５は、絶縁体層１６ｈ〜１６ｋをｚ軸方向に貫通しており、互いに接続されることにより１本のビアホール導体を構成している。ビアホール導体ｖ２２は、ビアホール導体ｖ７のｚ軸方向の負方向側の端部とコンデンサ導体５２とを接続している。ビアホール導体ｖ２５のｚ軸方向の負方向側の端部は、コンデンサ導体６０に接続されている。また、ビアホール導体ｖ３１,ｖ４２は、絶縁体層１６ｌ，１６ｍをｚ軸方向に貫通しており、互いに接続されることにより１本のビアホール導体を構成している。ビアホール導体ｖ３１のｚ軸方向の正方向側の端部は、コンデンサ導体６０に接続されている。ビアホール導体ｖ４２のｚ軸方向の負方向側の端部は、外部電極４４ａに接続されている。これにより、コイル部Ｌ１の一端は、外部電極４４ａに電気的に接続されている。
【００５６】
グランド導体５８は、絶縁体層１６ｋの表面上に設けられており、十字形状の導体である。グランド導体５８は、例えば、Ｃｕ等の導電性材料からなる導体である。グランド導体５８は、絶縁体層１６ｉ，１６ｊを介してコンデンサ導体５２と対向しており、絶縁体層１６ｋを介してコンデンサ導体６０と対向している。これにより、コンデンサ導体５２，６０とグランド導体５８との間には容量が形成されている。更に、ビアホール導体ｖ３３〜ｖ３５は、絶縁体層１６ｋ，１６ｌ，１６ｍをｚ軸方向に貫通しており、互いに接続されることにより１本のビアホール導体を構成している。ビアホール導体ｖ３３のｚ軸方向の正方向側の端部は、グランド導体５８に接続されており、ビアホール導体ｖ３５のｚ軸方向の負方向側の端部は、外部電極４４ｃに接続されている。ビアホール導体ｖ３６〜ｖ３８は、絶縁体層１６ｋ，１６ｌ，１６ｍをｚ軸方向に貫通しており、互いに接続されることにより１本のビアホール導体を構成している。ビアホール導体ｖ３６のｚ軸方向の正方向側の端部は、グランド導体５８に接続されており、ビアホール導体ｖ３８のｚ軸方向の負方向側の端部は、外部電極４４ｃに接続されている。ビアホール導体ｖ３９〜ｖ４１は、絶縁体層１６ｋ，１６ｌ，１６ｍをｚ軸方向に貫通しており、互いに接続されることにより１本のビアホール導体を構成している。ビアホール導体ｖ３９のｚ軸方向の正方向側の端部は、グランド導体５８に接続されており、ビアホール導体ｖ４１のｚ軸方向の負方向側の端部は、外部電極４４ｃに接続されている。これにより、コンデンサＣ１は、外部電極４４ａと外部電極４４ｃとの間に接続されている。
【００５７】
コンデンサＣ３は、コンデンサ導体５４，６２及びグランド導体５８により構成されている。コンデンサ導体５４，６２はそれぞれ、絶縁体層１６ｉ，１６ｌの表面上に設けられており、長方形状の導体である。コンデンサ導体５４,６２は、例えば、Ｃｕ等の導電性材料からなる導体である。ビアホール導体ｖ２６〜ｖ２９は、絶縁体層１６ｈ〜１６ｋをｚ軸方向に貫通しており、互いに接続されることにより１本のビアホール導体を構成している。ビアホール導体ｖ２６は、ビアホール導体ｖ１４のｚ軸方向の負方向側の端部とコンデンサ導体５４とを接続している。ビアホール導体ｖ２９のｚ軸方向の負方向側の端部は、コンデンサ導体６２に接続されている。また、ビアホール導体ｖ３２,ｖ４３は、絶縁体層１６ｌ，１６ｍをｚ軸方向に貫通しており、互いに接続されることにより１本のビアホール導体を構成している。ビアホール導体ｖ３２のｚ軸方向の正方向側の端部は、コンデンサ導体６２に接続されている。ビアホール導体ｖ４３のｚ軸方向の負方向側の端部は、外部電極４４ｂに接続されている。これにより、コイル部Ｌ２の一端は、外部電極４４ｂに電気的に接続されている。
【００５８】
グランド導体５８は、絶縁体層１６ｉ，１６ｊを介してコンデンサ導体５４と対向しており、絶縁体層１６ｋを介してコンデンサ導体６２と対向している。これにより、コンデンサ導体５４，６２とグランド導体５８との間には容量が形成されている。更に、ビアホール導体ｖ３３〜ｖ３５は、絶縁体層１６ｋ，１６ｌ，１６ｍをｚ軸方向に貫通しており、互いに接続されることにより１本のビアホール導体を構成している。ビアホール導体ｖ３３のｚ軸方向の正方向側の端部は、グランド導体５８に接続されており、ビアホール導体ｖ３５のｚ軸方向の負方向側の端部は、外部電極４４ｃに接続されている。ビアホール導体ｖ３６〜ｖ３８は、絶縁体層１６ｋ，１６ｌ，１６ｍをｚ軸方向に貫通しており、互いに接続されることにより１本のビアホール導体を構成している。ビアホール導体ｖ３６のｚ軸方向の正方向側の端部は、グランド導体５８に接続されており、ビアホール導体ｖ３８のｚ軸方向の負方向側の端部は、外部電極４４ｃに接続されている。ビアホール導体ｖ３９〜ｖ４１は、絶縁体層１６ｋ，１６ｌ，１６ｍをｚ軸方向に貫通しており、互いに接続されることにより１本のビアホール導体を構成している。ビアホール導体ｖ３９のｚ軸方向の正方向側の端部は、グランド導体５８に接続されており、ビアホール導体ｖ４１のｚ軸方向の負方向側の端部は、外部電極４４ｃに接続されている。これにより、コンデンサＣ３は、外部電極４４ｂと外部電極４４ｃとの間に接続されている。
【００５９】
コンデンサＣ２は、コンデンサ導体５６及びグランド導体５８により構成されている。コンデンサ導体５６は、絶縁体層１６ｊの表面上に設けられており、長方形状の導体である。コンデンサ導体５６は、例えば、Ｃｕ等の導電性材料からなる導体である。ビアホール導体ｖ３０は、絶縁体層１６ｉをｚ軸方向に貫通しており、ビアホール導体ｖ２１とコンデンサ導体５６とを接続している。
【００６０】
また、グランド導体５８は絶縁体層１６ｊを介してコンデンサ導体５６と対向している。これにより、コンデンサ導体５６とグランド導体５８との間には容量が形成されている。また、グランド導体５８は、ビアホール導体ｖ３３〜ｖ４１により外部電極４４ｃに接続されている。これにより、コンデンサＣ２は、コイルＬ１０，Ｌ２０間と、外部電極４４ｃとの間に接続されている。すなわち、コイルＬ１０，Ｌ２０のｚ軸方向の正方向側の端部は、ビアホール導体ｖ１６〜ｖ２１，ｖ３０，ｖ３３〜ｖ４１及びコンデンサＣ２を介して外部電極４４ｃと電気的に接続されている。
【００６１】
コンデンサＣ４は、コンデンサ導体５０，５２により構成されている。コンデンサ導体５０は、絶縁体層１６ｈの表面上に設けられており、２つの長方形状の導体が線状の導体に接続された形状をなしている。コンデンサ導体５２は、絶縁体層１６ｈを介してコンデンサ導体５０と対向している。更に、ビアホール導体ｖ２０、ｖ２１は、コンデンサ導体５０に接続されている。これにより、コンデンサＣ４は、コイル部Ｌ１に対して並列接続されている。
【００６２】
コンデンサＣ５は、コンデンサ導体５０，５４により構成されている。コンデンサ導体５４は、絶縁体層１６ｈを介してコンデンサ導体５０と対向している。これにより、コンデンサＣ５は、コイルＬ２に対して並列接続されている。
【００６３】
以上のように構成されたローパスフィルタ１０ｂでは、外部電極４４ａが入力端子として用いられ、外部電極４４ｂが出力端子として用いられ、外部電極４４ｃが接地端子として用いられる。これにより、外部電極４４ａから高周波信号が入力されると、所定周波数よりも低い周波数を有する高周波信号が外部電極４４ｂから出力される。
【００６４】
以上のように構成されたローパスフィルタ１０ｂでは、ローパスフィルタ１０ａと同様に、Ｑ値の低下を抑制しつつ、コイル部Ｌ１，Ｌ２のインダクタンス値を大きくすることができる。
【００６５】
また、ローパスフィルタ１０ｂでは、ローパスフィルタ１０ａと同様に、コイルＬ１０，Ｌ２０のｚ軸方向の負方向側の端部と外部電極４４ａ，４４ｂとの間の抵抗値を低減できる。
【００６６】
さらに、第２の実施形態に係るローパスフィルタ１０ｂでは、積層体１２の側面に外部電極が設けられていないので、コイルＬ１０、Ｌ２０及びコイル部Ｌ１、Ｌ２で発生する磁界が外部電極によって遮蔽されない。このため、ローパスフィルタ１０ｂのＱ値の低下を抑えることができる。
【００６７】
（変形例）
次に、変形例に係るローパスフィルタ１０ｃについて図面を参照しながら説明する。図６は、変形例に係るローパスフィルタ１０ｃの分解斜視図である。
【００６８】
ローパスフィルタ１０ｃは、ローパスフィルタ１０ｂに対して、絶縁体層１６ｎ、接続導体７０及びビアホール導体ｖ６５〜ｖ７５が追加された構造を有している。なお、ローパスフィルタ１０ｃの等価回路図は、図４に示される。
【００６９】
次に、ローパスフィルタ１０ｃの具体的な構成について図面を参照しながら説明する。なお、図６において、図５と同じ構成については、同じ参照符号を付した。
【００７０】
絶縁体層１６ｎは、絶縁体層１６ｈ，１６ｉ間に積層されている。接続導体７０は、絶縁体層１６ｎの表面上に設けられており、長方形状をなしている。ビアホール導体ｖ２１のｚ軸方向の負方向側の端部は、接続導体７０に接続されている。
【００７１】
ビアホール導体ｖ６５〜ｖ７１は、コイルＬ２０のｚ軸方向の正方向側の端部からｚ軸方向の負方向側に向かって延在している。より詳細には、ビアホール導体ｖ６５〜ｖ７１は、絶縁体層１６ｂ〜１６ｈをｚ軸方向に貫通しており、互いに接続されることにより１本のビアホール導体を構成している。ビアホール導体ｖ６５のｚ軸方向の正方向側の端部は、コイル導体２０ａの上流端に接続されている。ビアホール導体ｖ７１のｚ軸方向の負方向側の端部は、接続導体７０に接続されている。
【００７２】
ビアホール導体ｖ７２，ｖ７３は、絶縁体層１６ｎ，１６ｉをｚ軸方向に貫通しており、互いに接続されることにより１本のビアホール導体を構成している。ビアホール導体ｖ７２のｚ軸方向の正方向側の端部は、接続導体７０に接続されている。ビアホール導体ｖ７３のｚ軸方向の負方向側の端部は、コンデンサ導体５６に接続されている。これにより、コイルＬ１０のｚ軸方向の正方向側の端部は、ビアホール導体ｖ１５〜ｖ２１，ｖ７２，ｖ７３、接続導体７０及びコンデンサＣ２を介して外部電極４４ｃと電気的に接続されている。また、コイルＬ２０のｚ軸方向の正方向側の端部は、ビアホール導体ｖ６５〜ｖ７３、接続導体７０及びコンデンサＣ２を介して外部電極４４ｃと電気的に接続されている。
【００７３】
ビアホール導体ｖ７４は、絶縁体層１６ｎをｚ軸方向に貫通しており、ビアホール導体ｖ２２とビアホール導体ｖ２３とに接続されている。ビアホール導体ｖ７５は、絶縁体層１６ｎをｚ軸方向に貫通しており、ビアホール導体ｖ２６とビアホール導体ｖ２７とに接続されている。
【００７４】
以上のように構成されたローパスフィルタ１０ｃでは、外部電極４４ａが入力端子として用いられ、外部電極４４ｂが出力端子として用いられ、外部電極４４ｃが接地端子として用いられる。これにより、外部電極４４ａから高周波信号が入力されると、所定周波数よりも低い周波数を有する高周波信号が外部電極４４ｂから出力される。
【００７５】
以上のように構成されたローパスフィルタ１０ｃでは、ローパスフィルタ１０ａと同様に、Ｑ値の低下を抑制しつつ、コイル部Ｌ１，Ｌ２のインダクタンス値を大きくすることができる。
【００７６】
また、ローパスフィルタ１０ｃでは、ローパスフィルタ１０ａと同様に、コイルＬ１０，Ｌ２０のｚ軸方向の負方向側の端部と外部電極４４ａ，４４ｂとの間の抵抗値を低減できる。
【００７７】
また、ローパスフィルタ１０ｃでは、ビアホール導体ｖ１６〜ｖ２１及びビアホール導体ｖ６５〜ｖ７１の長さ、すなわち、コンデンサ導体５０の積層方向の位置を調整することによって、コイル部Ｌ１とコイル部Ｌ２との結合度を調整することができる。
【産業上の利用可能性】
【００７８】
以上のように、本発明は、ローパスフィルタに有用であり、特に、Ｑ値の低下を抑制しつつ、コイルのインダクタンス値を大きくすることができる点において優れている。
【符号の説明】
【００７９】
Ｃ１〜Ｃ５  コンデンサ
Ｌ１，Ｌ２  コイル部
Ｌ１０，Ｌ２０  コイル
ｖ１〜ｖ７５  ビアホール導体
１０ａ〜１０ｃ  ローパスフィルタ
１２  積層体
１４ａ〜１４ｄ，４４ａ〜４４ｃ  外部電極
１６ａ〜１６ｎ  絶縁体層
１８ａ〜１８ｆ，２０ａ〜２０ｆ  コイル導体
２２，２４，２６，５０，５２，５４，５６，６０，６２  コンデンサ導体
２８，５８  グランド導体
７０  接続導体
【図１】
2013021449.tif 000003
【図２】
2013021449.tif 000004
【図３】
2013021449.tif 000005
【図４】
2013021449.tif 000006
【図５】
2013021449.tif 000007
【図６】
2013021449.tif 000008